【事件の表示】
　特許第３２２８０６４号「洗面化粧台」の請求項１ないし３に係る特許に対する特許異議の申立てについて、次のとおり決定する。
【結　論】
　訂正を認める。
　特許第３２２８０６４号の請求項１ないし３に係る特許を維持する。
【理　由】
第１ 手続きの経緯
特許出願　　　　　　平成７年４月１７日（優先日：平成６年４月１８日）
特許権設定登録　　　平成１３年９月７日（特許第３２２８０６４号）
特許公報発行　　　　平成１３年１１月１２日（特許第３２２８０６４号）
特許異議申立て（請求項１、２及び３に係る特許に対して）
　　　　　　　　　　平成１４年４月３０日
取消理由通知　　　　平成１４年７月１６日
訂正請求書、意見書　平成１４年１０月９日
取消理由通知　　　　平成１４年１１月２６日
訂正請求書、意見書、訂正請求取下書（平成１４年１０月９日付け訂正請求を取下げ）　　　　　平成１５年１月２９日
取消理由通知　　　　平成１５年３月２６日
訂正請求書、意見書、訂正請求取下書（平成１５年１月２９日付け訂正請求を取下げ）　　　　　平成１５年６月１７日
　
第２　訂正の適否について
１． 訂正の内容
　特許権者は、平成１５年６月１７日付け訂正請求書で、明細書の記載を次のとおり訂正することを求めている。
（１）登録時の明細書（以下明細書という）の特許請求の範囲の請求項１に係る記載、
　「【請求項１】　上部に洗面槽を有した洗面台の下部側の給水源より、上水配管と水栓金具とを介して、上記洗面槽内に給水がなされる洗面化粧台において、
　上記水栓金具の取付部を有しているとともに、上記水栓金具および、この水栓金具を介して、少なくとも、上記上水配管の一部が取り付けられた状態で、上記洗面台上に取り付けられる載置台を備えていることを特徴とする洗面化粧台。」
を、
「　【請求項１】　上部に洗面槽を有するとともに、上記洗面槽下方に、前部側に開閉扉を有すとともに、後部側に給水源挿入用の開口を有するキャビネット部が設けられた洗面台を備えて、上記キャビネット部内に上記開口を介して突出させた上記給水源より、上水配管と水栓金具とを介して、上記洗面槽内に給水がなされ、かつ、上記洗面台が建物内の壁面に後面側を密着させた状態で、フロア上に据え付けられる洗面化粧台において、
　上記水栓金具の取付部を有しているとともに、上記水栓金具および、この水栓金具を介して、少なくとも、上記上水配管の一部が取り付けられた状態で、上記洗面台上に載置しつつ上記壁面側に固定するようにして取り付けられる載置台を備えていることを特徴とする洗面化粧台。」と訂正する。
　
（２）これに伴い、明細書の【０００６】段落中の記載、
　「　【課題を解決するための手段】
　この発明の請求項１の発明は、上部に洗面槽を有した洗面台の下部側の給水源より、上水配管と水栓金具とを介して、洗面槽内に給水がなされる洗面化粧台において、水栓金具の取付部を有しているとともに、水栓金具および、この水栓金具を介して、少なくとも、上水配管の一部が取り付けられた状態で、洗面台上に取り付けられる載置台を備えていることである。」
を、
「　【課題を解決するための手段】
　この発明の請求項１の発明は、上部に洗面槽を有するとともに、洗面槽下方に、前部側に開閉扉を有すとともに、後部側に給水源挿入用の開口を有するキャビネット部が設けられた洗面台を備えて、キャビネット部内に開口を介して突出させた給水源より、上水配管と水栓金具とを介して、洗面槽内に給水がなされ、かつ、洗面台が建物内の壁面に後面側を密着させた状態で、フロア上に据え付けられる洗面化粧台において、水栓金具の取付部を有しているとともに、水栓金具および、この水栓金具を介して、少なくとも、上水配管の一部が取り付けられた状態で、洗面台上に載置しつつ壁面側に固定するようにして取り付けられる載置台を備えていることである。」
と訂正し、
明細書の【００１２】段落中の記載、
「　【作用】
　この発明の請求項１の発明では、洗面化粧台の据え付けは、建物の給水源が取り付けられた場所に洗面台を据え付けた後、載置台に水栓金具とこの水栓金具を介して上水配管とを取り付けたアセンブリ体を洗面台上に取り付け、最後に上水配管の端部と給水源とを接続してなされる。この場合、給水源は洗面台の下部側に位置しており、上水配管は載置台の下方に延びるため、上水配管を洗面台中に差し込むようにすれば、載置台は洗面台に容易かつ迅速に取り付けられる。」
を、　　　　　　　　
「　【作用】
　この発明の請求項１の発明では、洗面化粧台の据え付けは、建物の給水源が取り付けられた場所において、洗面台を、建物の壁面に、後面側を密着させかつ上記給水源を洗面槽下方のキャビネット部内に開口を介して突出させるようにしてフロア上に据え付けるとともに、載置台に水栓金具とこの水栓金具を介して上水配管とを取り付けたアセンブリ体を形成した後、載置台を洗面台上に載せつつ、この載置台を建物の壁面側に固定するようにして、このアセンブリ体を洗面台に取り付け、最後に上水配管の端部と給水源とを洗面台のキャビネット部内で接続することによりなされる。この場合、給水源は洗面台の下部側のキャビネット部内に位置しており、上水配管は載置台下方の給水源まで延びるため、上水配管を洗面台中に差し込むようにすれば、載置台は洗面台に容易かつ迅速に取り付けられる。」
と訂正し、
明細書の【００１３】段落中の記載、
「また、載置台に上水配管の一部を取り付けた場合でも、洗面台上に載置台を取り付けることにより、上水配管の一部は給水源近くまで下方に延びるため、洗面台上部の狭い場所における取り付け作業がなくなり、洗面化粧台の据え付けは容易かつ迅速になされる。」
を、
「また、載置台に上水配管の一部を取り付けた場合でも、洗面台上に載置台を同様にして取り付けることにより、上水配管の一部は給水源近くまで下方に延びるため、洗面台上部の狭い場所における取り付け作業がなくなり、洗面化粧台の据え付けは容易かつ迅速になされる。」
と訂正し、
明細書の【００５０】段落中の記載、
「この発明の請求項１の発明によれば、上部に洗面槽を有した洗面台の下部側の給水源より、上水配管と水栓金具とを介して、洗面槽内に給水がなされる洗面化粧台において、水栓金具の取付部を有しているとともに、水栓金具および、この水栓金具を介して、少なくとも、上水配管の一部が取り付けられた状態で、洗面台上に取り付けられる載置台を備えるようにしているので、洗面化粧台の据付が容易となり、かつ、据付作業も迅速になされる。」
を、　　　　　
「この発明の請求項１の発明によれば、上部に洗面槽を有するとともに、洗面槽下方に、前部側に開閉扉を有すとともに、後部側に給水源挿入用の開口を有するキャビネット部が設けられた洗面台を備えて、キャビネット部内に開口を介して突出させた給水源より、上水配管と水栓金具とを介して、洗面槽内に給水がなされ、かつ、洗面台が建物内の壁面に後面側を密着させた状態で、フロア上に据え付けられる洗面化粧台において、水栓金具の取付部を有しているとともに、水栓金具および、この水栓金具を介して、少なくとも、上水配管の一部が取り付けられた状態で、洗面台上に載置しつつ壁面側に固定するようにして取り付けられる載置台を備えているので、洗面化粧台の据付が容易となり、かつ、据付作業も迅速になされる。」と訂正する。
　
（３）明細書の特許請求の範囲の請求項４に係る記載、
「　【請求項４】　前記載置台が、中空で後面側が開放された一体成形可能な樹脂成形体から構成されていることを特徴とする請求項１または３記載の洗面化粧台。」
を、
「　【請求項４】　上部に洗面槽を有し、建物内の壁面に後面側を密着させるようにして据え付けられる洗面台の下部側の給水源より、上水配管と水栓金具とを介して、上記洗面槽内に給水がなされる洗面化粧台において、
　上記水栓金具の取付部を有しているとともに、上記水栓金具および、この水栓金具を介して、少なくとも、上記上水配管の一部が取り付けられた状態で、上記洗面台上に載置しつつ上記壁面側に固定するようにして取り付けられ、かつ、中空で後面側が開放された一体成形可能な樹脂成形体から形成されている載置台を備えていることを特徴とする洗面化粧台。」と訂正する。
　
（４）これに伴い、明細書の【０００９】段落中の記載、
「この発明の請求項４の発明は、請求項１または３の発明の場合において、載置台が、中空で後面側が開放された一体成形可能な樹脂成形体から構成されていることである。」
を、
「この発明の請求項４の発明は、上部に洗面槽を有し、建物内の壁面に後面側を密着させるようにして据え付けられる洗面台の下部側の給水源より、上水配管と水栓金具とを介して、洗面槽内に給水がなされる洗面化粧台において、水栓金具の取付部を有しているとともに、水栓金具および、この水栓金具を介して、少なくとも、上水配管の一部が取り付けられた状態で、洗面台上に載置しつつ壁面側に固定するようにして取り付けられ、かつ、中空で後面側が開放された一体成形可能な樹脂成形体から形成されている載置台を備えていることである。」
と訂正し、
明細書の【００５３】段落中の記載、
「この発明の請求項４の発明によれば、請求項１または３の発明の場合において、載置台が、中空で後面側が開放された一体成形可能な樹脂成形体から構成されているので、載置台を短時間の内に、大量かつ安価に製造できるようになる。また、後面側が開放されている分、この載置台への水栓金具や上水配管の組み込みも容易となる。」
を、
「この発明の請求項４の発明によれば、載置台が、中空で後面側が開放された一体成形可能な樹脂成形体から形成されているので、載置台を短時間の内に、大量かつ安価に製造できるようになる。また、後面側が開放されている分、この載置台への水栓金具や上水配管の組み込みも容易となる。もちろん、この発明においても、洗面化粧台の据付を、容易かつ迅速になすことができる。」と訂正する。
　
２． 訂正の目的、新規事項の有無、及び特許請求の範囲の拡張・変更の存否について
　上記訂正事項（１）は、請求項１に記載の洗面化粧台の構成、洗面台及び載置台の取り付け状態を限定するものであるから、特許請求の範囲の減縮を目的とした明細書の訂正に該当し、訂正事項（３）は、引用形式で記載されていた請求項４を独立形式とするとともに、洗面台及び載置台の取り付け状態を限定するものであるから、特許請求の範囲の減縮及び明りょうでない記載の釈明を目的とした訂正に該当し、また、訂正事項（２）及び（４）は、これらの訂正に応じて特許請求の範囲の記載と発明の詳細な説明の記載との整合性をとる訂正であるから、明りょうでない記載の釈明を目的とした訂正に該当する。
　そして、これらの訂正は、新規事項の追加に該当せず、実質上特許請求の範囲を拡張し、又は変更するものでもない。
　
３． 独立特許要件について
　上記請求項４に係る訂正（３）は、特許異議の申立てがされていない請求項についての訂正であって、特許請求の範囲の減縮を目的としたものに該当するから、同請求項４に係る発明の独立特許要件について検討する。
　
（１）請求項４に係る発明
　請求項４に係る発明は、訂正明細書の特許請求の範囲の請求項４に記載された事項により特定される次のとおりのものである。
　
「【請求項４】　上部に洗面槽を有し、建物内の壁面に後面側を密着させるようにして据え付けられる洗面台の下部側の給水源より、上水配管と水栓金具とを介して、上記洗面槽内に給水がなされる洗面化粧台において、
　上記水栓金具の取付部を有しているとともに、上記水栓金具および、この水栓金具を介して、少なくとも、上記上水配管の一部が取り付けられた状態で、上記洗面台上に載置しつつ上記壁面側に固定するようにして取り付けられ、かつ、中空で後面側が開放された一体成形可能な樹脂成形体から形成されている載置台を備えていることを特徴とする洗面化粧台。」
　
（２）刊行物に記載された発明
　当審が平成１５年３月２６日付で通知した取消理由に引用された刊行物１、２及び３並びに申立人が提示した刊行物（甲第３号証）（以下、刊行物４と呼ぶ。）の記載事項は次のとおりである。
　
刊行物１：特開昭５６−２３９３０号公報（甲第１号証）
刊行物１には、
（ア）「ミラーキャビネットを壁面に取付けると共にミラーキャビネットの下端部にからんを取付け、上部に洗面ボウルを取付けた洗面台をミラーキャビネットの下方に配置して成ることを特徴とする洗面装置。」（特許請求の範囲）、
（イ）「以下本発明を実施例により詳述する。（１）はミラーキャビネットで あって、中央部に鏡（６）を取付けると共に・・・下端には水平板（８）が突設してある。・・・（５）は洗面台であって、上面部に洗面ボウル（４）が取付けてあり、内部を収納部・・・として前面開口に扉（１１）が取付けてある。・・・而して、施工にあたっては、先ずミラーキャビネット（１）を屋内の壁面（２）に固定する。・・・次にミラーキャビネット（１）の水平板（８）にからん（３）を取付ける。このからん（３）に給湯、給水のための給水管（１４）及び止水栓（１５）を取付ける配管施工を行なう。このとき、配管施工は何ら障害物がないので作業を容易に行なうことができるものである。次に レール溝（９）にレール（１２）が嵌まるよう洗面台（５）をミラーキャビネット（１）下方位置に第３図のように差し込む。」（１頁右下欄７行ないし２頁左上欄１０行） と記載されている。
（ウ）第１図には、洗面台（５）の後面側が建物の壁面に密着するように据え付けられている状態が記載され、第２図には、洗面台（５）の下部側の給水源より給水管（１４）とからん（３）とを介して給水がなされる点が記載されている。
　これらの記載を含む明細書全体の記載及び第１ないし４図の記載からみて、刊行物１には、
 「上部に洗面ボウル（４）を有するとともに、上記洗面ボウル（４）下方に、前部側に開閉扉を有した収納部が設けられた洗面台（５）を備えて、上記洗面台（５）内に突出させた給水源より、給水管（１４）とからん（３）とを介して、上記洗面ボウル（４）内に給水がなされ、かつ、上記洗面台（５）が建物の壁面に後面側を密着させた状態で、フロア上に据え付けられる洗面装置において、
　上記からん（３）および給水管（１４）が取り付けられた状態で、建物の壁面に取付けられ、洗面台（５）が下方位置に差し込まれるミラーキャビネット（１）を備えている洗面装置。」
の発明が記載されていると認められる。
　
刊行物２：特開平６−２３３７２８号公報
　段落番号【００１３】ないし【００１６】の記載、及び図１ないし図３によれば、下部に水栓７が取り付けられたミラーキャビネット４が、洗面化粧台１のカウンター２（洗面ボール３が取り付けられている）の奥部に載置されていることが記載されている。
　
刊行物３：実願昭６０−１９２０５８号（実開昭６２−９９６６９号）のマイクロフィルム（甲第２号証）
刊行物３には、次の記載が認められる。
（ア）「この実施例は第１図で示すように洗面化粧台本体（Ａ）の後部上面にシャワーユニット（Ｂ）を立設し、該シャワーユニット（Ｂ）の前面に引出し自在なシャワーヘッド（Ｃ１）を支持するシャワー支持部（１）を形成したものである。洗面化粧台本体（Ａ）は、下面を床面に載置するキャビネット（Ａ１）と、該キャビネット（Ａ１）の上面に配設した洗面器（Ａ２）とから成り・・・」（明細書３頁１１行ないし１９行）、
（イ）「シャワーユニット（Ｂ）は・・・洗面化粧台本体（Ａ）の後部上面に載置固定すると共に、その前面には、所定高さ位置にシャワー支持部（１）を設ける。」（同４頁２行ないし７行）、
（ウ）「また上記シャワーユニット（Ｂ）の上面に鏡部（９）を有する化粧鏡ユニット（Ｄ）を載置固定する。なお、シャワーユニット（Ｂ）と、化粧ユニット（Ｄ）は一体であってもよい。」（同７頁１６行ないし１９行）
と記載されている。
　
刊行物４：米国特許第４５５３２７７号明細書（甲第３号証）
刊行物４には「水栓とそのクランプ機構」に関し、
「本発明は、流し台の背面や平板部のような支持壁に水栓を固定するための改善されたクランプ機構を有する水栓に関する。」（明細書第１欄第５〜７行）
「このようにして水栓９は、支持壁１４の開口１９から突出したシリンダー１０２と共に、支持壁１４上に簡単に位置決めできるであろう。そして、水栓９の他方側のクランプメンバー１１は支持壁１４の下あるいは横に位置する。それから、温・冷水配管１７，１８がそれぞれ、温・冷水の供給源に接続される。」（同第７欄第１６〜２２行）
と記載されており、図１ないし図１３の特に図２を参照すると、ベースカバー５４に水栓９のハウジング４９と温・冷水配管１７，１８が取り付けられており、このベースカバー５４が流し台の支持壁１４に取り付けられることが記載されていると認められる。
　
（３）対比・判断
　請求項４に係る発明と刊行物１に記載の発明とを比較すると、刊行物１に記載の発明において、からん（３）から洗面ボウル（４）内に給水がなされること、及びミラーキャビネット（１）がからん（３）の取付部を有していることは明らかであり、刊行物１に記載の発明の「洗面ボウル（４）」、「洗面台（５）」、「給水管（１４）」、「からん（３）」及び「洗面装置」が、それぞれ請求項４に係る発明の「洗面槽」、「洗面台」、「上水配管」、「水栓金具」及び「洗面化粧台」に相当し、刊行物１に記載の発明の「ミラーキャビネット（１）」は、からん（３）が取り付けられ洗面台（５）の上面において建物の壁面に固定されるように取り付けられているから請求項４に係る発明の「載置台」に対応するものであって、水洗金具取付台ということができるから、
両者は、
「上部に洗面槽を有し、建物内の壁面に後面側を密着させるようにして据え付けられる洗面台の下部側の給水源より、上水配管と水栓金具とを介して、上記洗面槽内に給水がなされる洗面化粧台において、
　上記水栓金具の取付部を有しているとともに、上記水栓金具および、この水栓金具を介して、少なくとも、上記上水配管の一部が取り付けられた状態で、上記洗面台上に上記壁面側に固定するようにして取り付けられる載置台を備えていることを特徴とする洗面化粧台。」の点で一致し、次の点で相違する。
　
相違点：
　請求項４に係る発明の洗面化粧台は、載置台が「水栓金具および、この水栓金具を介して、少なくとも、上記上水配管の一部が取り付けられた状態で、上記洗面台上に載置しつつ上記壁面側に固定するようにして取り付けられ、かつ、中空で後面側が開放された一体成形可能な樹脂成形体から形成されている」のに対して、刊行物１記載の発明の載置台は、このような構成を備えていない点。
　
　そして、請求項４に係る発明は、この構成により、明細書に記載された「この発明の請求項４の発明によれば、載置台が、中空で後面側が開放された一体成形可能な樹脂成形体から形成されているので、載置台を短時間の内に、大量かつ安価に製造できるようになる。また、後面側が開放されている分、この載置台への水栓金具や上水配管の組み込みも容易となる。もちろん、この発明においても、洗面化粧台の据付を、容易かつ迅速になすことができる。」（明細書の【００５３】段落）といった顕著な効果を奏するものと認められる。
　しかも、この構成は、その他の刊行物２ないし４のいずれもにも記載も示唆もされていない
　
　したがって、請求項４に係る発明は、刊行物１ないし４に記載された発明に基づいて当業者が容易に発明をすることができたものとすることはできず、その他の取り消すべき理由も見出せない。
　よって、訂正明細書の請求項４に係る発明は、出願の際、独立して特許を受けることができるものである。
　
４． むすび
　上記訂正は、平成１１年改正前の特許法第１２０条の４第３項において準用する平成６年法律第１１６号による改正前の特許法第１２６条第１項ただし書き、同条第２項及び第３項の規定に適合するので、当該訂正を認める。
　
第３　特許異議の申立てについての判断
１． 申立てについての概要
　申立人は、請求項１、２及び３に係る発明の特許は、下記の刊行物により、特許法第２９条第２項の規定に違反してなされたものであるから、取り消されるべき旨主張している。
甲第１号証：特開昭５６−２３９３０号公報
甲第２号証：実開昭６２−９９６６９号公報
甲第３号証：米国特許第４５５３２７７号明細書
参考資料１　ヨーロッパ特許公開第０３９６０３９号公報
参考資料２　米国特許第５０８６５２６号公報
　
２．請求項１、２及び３に係る発明
　本件特許第３２２８０６４号の請求項１、２及び３に係る発明は、訂正明細書の特許請求の範囲の請求項１、２及び３に記載された事項により特定される次のとおりのものである。
　
「　【請求項１】　上部に洗面槽を有するとともに、上記洗面槽下方に、前部側に開閉扉を有すとともに、後部側に給水源挿入用の開口を有するキャビネット部が設けられた洗面台を備えて、上記キャビネット部内に上記開口を介して突出させた上記給水源より、上水配管と水栓金具とを介して、上記洗面槽内に給水がなされ、かつ、上記洗面台が建物内の壁面に後面側を密着させた状態で、フロア上に据え付けられる洗面化粧台において、
　上記水栓金具の取付部を有しているとともに、上記水栓金具および、この水栓金具を介して、少なくとも、上記上水配管の一部が取り付けられた状態で、上記洗面台上に載置しつつ上記壁面側に固定するようにして取り付けられる載置台を備えていることを特徴とする洗面化粧台。
　　【請求項２】　前記載置台を化粧鏡を有した化粧鏡台としたことを特徴とする請求項１記載の洗面化粧台。
　　【請求項３】　前記載置台上に化粧鏡を有した化粧鏡台が取り付けられることを特徴とする請求項１記載の洗面化粧台。」
　　
３．刊行物に記載された発明
　当審が平成１５年３月２６日付で通知した取消理由に引用された刊行物１、２及び３並びに申立人が提示したその他の刊行物（甲第３号証）（以下、刊行物４と呼ぶ。）の記載事項は、上記の「第２　訂正の適否について、３． 独立特許要件について、（２）刊行物に記載された発明」に記載したとおりである。
　　
４．請求項１に係る発明について
（１） 対比
　請求項１に係る発明と刊行物１に記載の発明とを比較すると、刊行物１に記載の発明において、からん（３）から洗面ボウル（４）内に給水がなされること、及びミラーキャビネット（１）がからん（３）の取付部を有していることは明らかであり、刊行物１に記載の発明の「洗面ボウル（４）」、「収納部」、「洗面台（５）」、「給水管（１４）」、「からん（３）」及び「洗面装置」が、それぞれ本件発明１の「洗面槽」、「キャビネット部」、「洗面台」、「上水配管」、「水栓金具」及び「洗面化粧台」に相当し、刊行物１に記載の発明の「ミラーキャビネット（１）」は、からん（３）が取り付けられ洗面台（５）の上面において建物の壁面に固定されるように取り付けられているから本件発明１の「載置台」に対応するものであって、水洗金具取付台ということができるから、
  両者は、
「上部に洗面槽を有するとともに、上記洗面槽下方に、前部側に開閉扉を有したキャビネット部が設けられた洗面台を備えて、上記キャビネット部内に突出させた給水源より、上水配管と水栓金具とを介して、上記洗面槽内に給水がなされ、かつ、上記洗面台が建物内の壁面に後面側を密着させた状態で、フロア上に据え付けられる洗面化粧台において、
　上記水栓金具の取付部を有しているとともに、上記水栓金具および、この水栓金具を介して、少なくとも、上記上水配管の一部が取り付けられた状態で、上記洗面台上に上記壁面側に固定するようにして取り付けられる水洗金具取付台を備えていることを特徴とする洗面化粧台。」
の点で一致し、次の点で相違する。
　
相違点：
　請求項１に係る発明の洗面化粧台は、「後部側に給水源挿入用の開口を有するキャビネット部が設けられた洗面台を備えて、上記キャビネット部内に上記開口を介して突出させた上記給水源」を備え、併せて、載置台は「上記水栓金具および、この水栓金具を介して、少なくとも、上記上水配管の一部が取り付けられた状態で、上記洗面台上に載置しつつ上記壁面側に固定するようにして取り付けられる」のに対して、刊行物１記載の洗面化粧台及び水栓金具取付台は、そうではない点。
　
（２）判断　
　この相違点について検討する。
　刊行物２には、ミラーキャビネット４が洗面化粧台１のカウンター２に載置することが記載されており、ここで、ミラーキャビネット４及び洗面化粧台１のカウンター２は、それぞれ、本件発明１の載置台及び洗面台に相当することから、刊行物２には、載置台が「洗面台上に載置しつつ取り付けられる」ことについては記載されているが、洗面台が「後部側に給水源挿入用の開口を有」し、給水源は「キャビネット部内に上記開口を介して突出させた」ものにおいて、載置台が「水栓金具および、この水栓金具を介して、少なくとも、上記上水配管の一部が取り付けられた状態で、上記洗面台上に載置しつつ上記壁面側に固定するようにして取り付けられる」点についての記載はなく、その示唆もない。
　そして、請求項１に係る発明は、これらの構成により、「後部側に給水源挿入用の開口を有する」洗面化粧台であり、水栓金具等が洗面台の後面側から洗面台側に直接取り付けられない洗面化粧台であっても、明細書に記載された、「洗面化粧台の据付が容易となり、かつ、据付作業も迅速になされる。（明細書の【００５０】段落）という顕著な効果を生じるのである。
　そして、この相違点は、その他の刊行物３あるいは４にも記載も示唆もされていない。
　したがって、請求項１に係る発明は、刊行物１ないし４に記載された発明に基づいて当業者が容易に発明をすることができたものとすることはできない。
　
５．請求項２に係る発明について
　請求項２に係る発明は、本件請求項１に係る発明を引用して、さらに「前記載置台を化粧鏡を有した化粧鏡台とした」という構成を限定したものであり、さらに他の構成用件を付加したものに相当するから、上記４．で説示した同様の理由により、刊行物１ないし４に記載された発明に基づいて当業者が容易に発明をすることができたものとすることはできない。
　
６．請求項３に係る発明ついて
　請求項３に係る発明は、請求項１に係る発明を引用して、さらに「前記載置台上に化粧鏡を有した化粧鏡台が取り付けられる」という構成を限定したものであって、さらに他の構成用件を付加したものに相当するから、上記４．で説示した同様の理由により、刊行物１ないし４に記載された発明に基づいて当業者が容易に発明をすることができたものとすることはできない。
　
７．むすび
　以上のとおりであるから、請求項１、２及び３に係る発明の特許は、特許異議申立ての理由及び証拠によっては取り消すことはできない。
　また、他に請求項１、２及び３に係る発明の特許を取り消すべき理由を発見しない。
　よって、結論のとおり決定する。
【異議決定日】
平成１５年８月２５日（２００３．８．２５）
【訂正の要旨】
審決（決定）の【理由】欄参照。
（５４）【発明の名称】
洗面化粧台
（５７）【特許請求の範囲】
　【請求項１】　上部に洗面槽を有
するとともに、上記洗面槽下方に、前部側に開閉扉を有すとともに、後部側に給水源挿入用の開口を有するキャビネット部が設けられた洗面台を備えて、上記キャビネット部内に上記開口を介して突出させた上記
、かつ、上記洗面台が建物内の壁面に後面側を密着させた状態で、フロア上に据え付けられる
　上記水栓金具の取付部を有しているとともに、上記水栓金具および、この水栓金具を介して、少なくとも、上記上水配管の一部が取り付けられた状態で、上記洗面台上に
載置しつつ上記壁面側に固定するようにして取り付けられる
　【請求項２】　前記載置台を化粧鏡を有した化粧鏡台としたことを特徴とする請求項１記載の洗面化粧台。
　【請求項３】　前記載置台上に化粧鏡を有した化粧鏡台が取り付けられることを特徴とする請求項１記載の洗面化粧台。
　【請求項４】　
上部に洗面槽を有し、建物内の壁面に後面側を密着させるようにして据え付けられる洗面台の下部側の給水源より、上水配管と水栓金具とを介して、上記洗面槽内に給水がなされる洗面化粧台において、
　
上記水栓金具の取付部を有しているとともに、上記水栓金具および、この水栓金具を介して、少なくとも、上記上水配管の一部が取り付けられた状態で、上記洗面台上に載置しつつ上記壁面側に固定するようにして取り付けられ、かつ、中空で後面側が開放された一体成形可能な樹脂成形体から形成されている載置台を備えていることを特徴とする
　【請求項５】　前記載置台の内面側全体に、補強用の突起部を有していることを特徴とする請求項４記載の洗面化粧台。
　【請求項６】　前記載置台の内面側の前記水栓金具取り付け用の開口周りに、補強用の突起部を有していることを特徴とする請求項４記載の洗面化粧台。
【発明の詳細な説明】
　【０００１】
　【産業上の利用分野】
　この発明は、洗面槽を有した洗面化粧台の改良に関するものである。
　【０００２】
　【従来の技術】
　図１０は従来の洗面化粧台の据え付け作業の説明図である。
　洗面化粧台は、図１０で示されるように、キャビネット部５０１の上部に洗面槽５０２を有した洗面キャビネット５００と、この洗面キャビネット５００上に載置される化粧鏡台５１０と、洗面槽５０２上に取り付けられる水栓金具５２０と、水栓金具５２０と止水栓Ｓとを連結する上水配管５３０とから構成されている。
　【０００３】
　この洗面化粧台を建物内に据え付けるには、まず、洗面キャビネット５００を止水栓Ｓを有する建物の側壁Ａに押しつけるようにして、この洗面キャビネット５００をフロアＢ上に据え付ける。この場合、止水栓Ｓをキャビネット部５０１内に突出させるようにする。つづいて、水栓金具５２０と上水配管５３０とを予め接続したものを、洗面槽５０２の取付孔５０２ａ内に差し込み、水栓金具５２０の止め金具５２０ａを洗面槽５０２側に締めつけて、水栓金具５２０を洗面槽５０２に固定する。つづいて、上水配管５３０と止水栓Ｓとを連結した後、洗面キャビネット５００上に化粧鏡台５１０を載置して、この化粧鏡台５１０を側壁Ａに固定すれば、この洗面化粧台の据え付け作業は完了する。
　【０００４】
　【発明が解決しようとする課題】
　しかしながら、上記洗面化粧台では、水栓金具５２０を取り付けるための洗面槽５０２の取付孔５０２ａが、水溜め部５０２ｂの後方に設けられているため、水栓金具５２０の止め金具５２０ａがキャビネット部５０１内上部の狭い空間に位置することとなる。したがって、止め金具５２０ａを締めつける場合、作業者はキャビネット部５０１内にもぐり込み、特殊工具Ｋを使用して作業をしなければならず、作業が困難で、作業に時間がかかってしまうという問題があった。
　【０００５】
　この発明は、以上の点に鑑み、据付が容易であるとともに、据付作業が迅速になされる洗面化粧台を提供することを目的とする。
　【０００６】
　【課題を解決するための手段】
　この発明の請求項１の発明は、上部に洗面槽を有
するとともに、洗面槽下方に、前部側に開閉扉を有すとともに、後部側に給水源挿入用の開口を有するキャビネット部が設けられた洗面台を備えて、キャビネット部内に開口を介して突出させた
、かつ、洗面台が建物内の壁面に後面側を密着させた状態で、フロア上に据え付けられる
載置しつつ壁面側に固定するようにして取り付けられる
　【０００７】
　この発明の請求項２の発明は、請求項１の発明の場合において、載置台を化粧鏡を有した化粧鏡台としたことである。
　【０００８】
　この発明の請求項３の発明は、請求項１の発明の場合において、載置台上に化粧鏡を有した化粧鏡台が取り付けられることである。
　【０００９】
　この発明の請求項４の発明は、
上部に洗面槽を有し、建物内の壁面に後面側を密着させるようにして据え付けられる洗面台の下部側の給水源より、上水配管と水栓金具とを介して、洗面槽内に給水がなされる洗面化粧台において、水栓金具の取付部を有しているとともに、水栓金具および、この水栓金具を介して、少なくとも、上水配管の一部が取り付けられた状態で、洗面台上に載置しつつ壁面側に固定するようにして取り付けられ、かつ、中空で後面側が開放された一体成形可能な樹脂成形体から形成されている載置台を備えていることである。
　【００１０】
　この発明の請求項５の発明は、請求項４の発明の場合において、載置台の内面側全体に、補強用の突起部を有していることである。
　【００１１】
　この発明の請求項６の発明は、請求項４の発明の場合において、載置台の内面側の水栓金具取り付け用の開口周りに、補強用の突起部を有していることである。
　【００１２】
　【作用】
　この発明の請求項１の発明では、洗面化粧台の据え付けは、建物の給水源が取り付けられた場所に
おいて、洗面台を、建物の壁面に、後面側を密着させ、かつ、上記給水源を洗面槽下方のキャビネット部内に開口を介して突出させるようにしてフロア上に据え付けるとともに
形成した後、載置台を洗面台上に載せつつ、この載置台を建物の壁面側に固定するようにして、このアセンブリ体を
洗面台のキャビネット部内で接続することによりなされる
キャビネット部内
　【００１３】
　また、載置台に上水配管の一部を取り付けた場合でも、洗面台上に載置台を
同様にして
　【００１４】
　この発明の請求項２の発明では、載置台が化粧鏡台である場合であり、請求項１の発明の場合と同様な手順で、洗面化粧台が据え付けられる。
　【００１５】
　この発明の請求項３の発明では、載置台と化粧鏡台とが分離できるので、請求項２の発明の場合より容易に洗面化粧台が据え付けられる。
　【００１６】
　この発明の請求項４の発明では、載置台を樹脂成形によって形成する場合に、中空に形成して材料の節約を図るとともに、後面を開放した一体成形可能な形状として、製作の容易化を図っている。なお、成形時の型抜きは、開放された後面側から容易になすことができる。
　【００１７】
　この発明の請求項５の発明では、載置台の強度が向上し、その分載置台の肉厚を薄くすることができる。
　【００１８】
　この発明の請求項６の発明では、載置台の開口部周りの強度を上げることができる。
　【００１９】
　【実施例】
　以下、この発明の実施例を図面を参照しつつ説明する。
　図２および図３はこの発明の一実施例に係る洗面化粧台の全体構成を示している。
　【００２０】
　洗面化粧台１は、図から示されるように、キャビネット部１１上に洗面槽１２が取り付けられた洗面台としての洗面キャビネット１０と、洗面キャビネット１０上に載置される載置台としての金具取付台１３と、金具取付台１３上に載置される化粧鏡台１４と、金具取付台１３に取り付けられる水栓金具としての混合水栓１５および吐水管１６と、給水源である止水栓２０と混合水栓１５とを連結する上水配管としての湯配管１７および水配管１８とから構成されている。
　【００２１】
　洗面キャビネット１０は、湯用の止水栓２０Ａと水用の止水栓２０Ｂとが取り付けられた建物内の側壁Ａに、後面側を密着させた状態で、フロアＢ上に据え付けられており、止水栓２０Ａ，２０Ｂがキャビネット部１１内に突出するように位置決めされている。キャビネット部１１は前部側に開閉扉１１ａを有すとともに、後部側に止水栓２０挿入用の開口１１ｂを有している。
　【００２２】
　洗面槽１２は、中央部に凹状の水溜め部１２ａを有しているとともに、後部に金具取付台１３を載置する載置部１２ｂを有している。そして、この載置部１２ｂには、湯配管１７および水配管１８を上下方向に挿通させるための挿通孔１２ｃが形成されている。なお、洗面槽１２は、前部側がキャビネット部１１より突出しているが、左右幅はキャビネット部１１と同一サイズとなっている。
　【００２３】
　金具取付台１３は、水栓金具の取付専用台である。この金具取付台１３は、左右幅が洗面槽１２とほぼ同一サイズであり、中央部よりやや右側に、水栓金具取り付け用の金具取付部１３ａが形成されている。金具取付部１３ａは、内部が中空で、その下面に、洗面槽１２の挿通孔１２ｃと連通する開口１３０が形成されているとともに、その後面に、水栓金具取付用の大きな取付穴１３１が形成されている。なお、金具取付台１３の金具取付部１３ａ以外の部分には、必要により、セッケンやシャンプーボトルのような小物を置く、小物置き棚または収納部が形成されているものとする。
　【００２４】
　化粧鏡台１４は、前面に化粧鏡１４ａが取り付けられているとともに、上部に照明部１４ｂを有し、かつ、下部に小物入れやスイッチ類が取り付け部を有している。なお、この化粧鏡台１４は、化粧鏡１４ａとともに、収納棚や収納室等を備えたキャビネット形式のものであってもよい。
　【００２５】
　混合水栓１５は、内部に湯と水の開度調整弁を有しており、湯と水の量を調整して適温の温水を供給するものである。また、吐水管１６は、混合水栓１５からの温水を洗面槽１２内に給水するものである。混合水栓１５と吐水管１６とは金具取付台１３の金具取付部１３ａに取り付けられる。
　【００２６】
　図４は金具取付台１３に取り付けられた混合水栓１５と吐水管１６の詳細を示している。混合水栓１５は、開閉および水温調整のためのレバー１５０ａが取り付けられた頭部１５０と、湯配管１７および水配管１８が取り付けられる水栓本体１５１と、吐水管１６との連絡管１５２とから構成されている。水栓本体１５１には、端部にフランジ１５１ｂおよびこの先にネジ部１５１ａが形成され、かつ、このネジ部１５１ａに、パッキン１５１ｃをはさんで止め金具１５１ｄがネジ込まれている。また、頭部１５０には、水栓本体１５１の先端内方にネジ込まれる取付けネジ（図示せず）がはめ込まれている。
　【００２７】
　吐水管１６は、吐水部１６０と吐水管本体１６１とから構成されている。吐水管本体１６１には、フランジ１６１ｂおよびこの先にネジ部１６１ａが形成され、かつ、このネジ部１６１ａに、パッキン１６１ｃをはさんで止め金具１６１ｄｂがネジ込まれている。また、吐水部１６０には、吐水管本体１６１の先端内方にネジ込まれる取付ネジ（図示せず）がはめ込まれている。
　【００２８】
　混合水栓１５を金具取付台１３に取り付けるには、まず、水栓本体１５１のネジ部１５１ａを金具取付台１３の金具取付部１３ａの内方から壁部の開口１３２を介して外方に突出させる。つづいて、このネジ部１５１ａ周りにパッキン１５１ｃを取り付けた後、止め金具１５１ｄをネジ部１５１ａに締め込んでいけば、金具取付台１３と水栓本体１５１とは一体化される。つぎに、頭部１５０の取付ネジを水栓本体１５１に締め込んでいくと、水栓本体１５１と頭部１５０とは一体化され、混合水栓１５は金具取付台１３に取り付けられる。また、吐水管１６も、混合水栓１５と同様の手順で金具取付台１３に取り付けられる。なお、吐水管本体１６１と水栓本体１５１とは前もって連絡管１５２で連結されている。
　【００２９】
　図５は止水栓２０と上水配管１７，１８との接続部の詳細を示している。止水栓２０は、連絡配管Ｐの一端部に取り付けられる開閉機能を有した弁本体２００と、上水配管１７，１８を接続するための、止め金具２０１、締付リング２０２、およびＯリング２０３とから構成されている。弁本体２００は、上水配管１７，１８の端部が差し込まれるとともに、外周部にネジ部が形成された接続部２００ａを有している。止め金具２０１は、一端側内面に接続部２００ａのネジ部に螺合する内ネジを有しているとともに、他端側内面に傾斜面２０１ａを有している。締付リング２０２は、止め金具２０１の傾斜面２０１ａに沿った円錐状の形状をしており、割れ目を有して、縮径可能となっている。
　【００３０】
　上水配管１７，１８を止水栓２０に取り付けるには、止め金具２０１、締付リング２０２、およびＯリング２０３を上水配管１７，１８側に差し込んだ後、上水配管１７，１８の端部を弁本体２００の接続部２００ａに差し込む。つぎに、止め金具２０１を接続部２００ａに螺合させて締め込んでいく。このことにより、締付リング２０２は止め金具２０１の傾斜面２０１ａに押されて、上水配管１７，１８周りに加圧されるとともに、弁本体２００の接続部２００ａ側に押されるため、Ｏリング２０３は上水配管１７，１８と接続部２００ａの隙間に加圧されて、弁本体２００と上水配管１７，１８とが接続される。
　【００３１】
　つぎに、この洗面化粧台１の使用方法について説明する。
　まず、湯および水用の止水栓２０Ａ，２０Ｂを開栓し、湯と水を湯配管１７および水配管１８を介して、混合水栓１５の位置まで供給する。なお、止水栓２０Ａには例えば電気温水器から高温の湯が供給され、止水栓２０Ｂには、水道管等を介して所定圧の水道水が供給されるものとする。
　【００３２】
　つぎに、混合水栓１４のレバー１５０ａを図２中矢印方向に回動させて、湯と水との混合割合を設定した後、レバー１５０ａの端部を図２中奥（紙面の下方）に引き下げると、湯と水とが混合した所望の温度の温水が連絡管１５２を通って吐水管１６に供給される。そして、この温水は吐水管１６の吐水部１６０から洗面槽１２の水溜め部１２ａ内に給水される。したがって、水溜め部１２ａ内の排水栓（図示せず）を閉じて、水溜め部１２ａ内に温水を溜めることにより、洗顔や洗髪を容易になすことができる。そして、洗顔等が終了すれば、排水栓を開け、水溜め部１２ａ内の水をキャビネット部１１内に位置される排水管（図示せず）を介して外部に排出すればよい。
　【００３３】
　つぎに、この洗面化粧台１の据え付け手順を図１等を参照しつつ説明する。
　まず、図１の（ａ）で示されるように、吐水管本体１６１が連絡管１５２を介して接続された混合水栓１５の水栓本体１５１に、湯配管１７および水配管１８を取り付けた後、これを開口１３０および取付穴１３１を介して、金具取付台１３の金具取付部１３ａ内に差し込み、水栓本体１５１と吐水管本体１６１とのネジ部１５１ａ，１６１ａを金具取付部１３ａの開口１３２，１３３から外方に突出させる。つづいて、パッキン１５１ｃ，１６１ｃを介して、止め金具１５１ｄ，１６１ｄをネジ部１５１ａ，１６１ａに締め込み、水栓本体１５１と吐水管本体１６１とを金具取付台１３に固定する。
　【００３４】
　つぎに、図１の（ｂ）で示されるように、水栓本体１５１と吐水管本体１６１とに、それぞれ混合水栓１５の頭部１５０と、吐水部１６０とを取り付け、金具取付台１３に、混合水栓１５、吐水管１６、湯配管１７、および水配管１８がアセンブリされたアセンブリ体１９を形成する。つづいて、前もって、建物内に据え付けられた洗面キャビネット１０の洗面槽１２の挿通孔１２ｃ内に、アセンブリ体１９の湯配管１７および水配管１８を差し込み、洗面キャビネット１０にこのアセンブリ体１９を組み付ける。この場合、アセンブリ体１９に取り付けられた湯配管１７および水配管１８の長さが長すぎる場合、アセンブリ体１９を洗面キャビネット１０から取り外した後、管端のカットを行なう。
　【００３５】
　そして、湯配管１７および水配管１８の長さ調整が終了すれば、これらを止水栓２０Ａ，２０Ｂに接続するとともに、金具取付台１３を建物の壁面に固定する。つぎに、金具取付台１３上に化粧鏡台１４を載置し、この化粧鏡台１４を建物の壁面に固定すれば、この洗面化粧台１の据え付け作業は完了する。
　【００３６】
　以上のように、この洗面化粧台１では、洗面キャビネット１０上に水栓金具を取り付ける金具取付台１３を設置するとともに、この金具取付台１３に水栓金具１５，１６およびこれに接続される上水配管１７，１８を予め取り付けたアセンブリ体１９を洗面キャビネット１０に取り付けるようにしている。このため、この洗面化粧台１では、作業者が、キャビネット部１１内の狭い場所で特殊工具を使用して水栓金具１５，１６を洗面槽１２に取り付ける必要がなく、水栓金具の取付作業の容易化と迅速化とが図られる。
　【００３７】
　また、この洗面化粧台１では、アセンブリ体１９を洗面キャビネット１０に装着して上水配管１７，１８の長さを調べた後、アセンブリ体１９を洗面キャビネット１０から取り出して、上水配管１７，１８の管端のカッティングを行なうことができるため、上水配管１７，１８の取付作業の容易化と迅速化をも図ることができる。
　【００３８】
　さらに、この洗面化粧台１では、水栓金具１５，１６を、洗面槽１２に取り付けず、この洗面槽１２上に載置される金具取付台１３に取り付けているため、水垂れ等に起因して水アカやカビが生じやすい洗面槽１２の清掃が容易にできるようになる。
　【００３９】
　なお、アセンブリ体１９は６０〜８０ｃｍ程の高さに抑えられるので、このアセンブリ体１９を作業者一人で取り付けることも可能である。
　【００４０】
　また、上水配管１７，１８を例えば上下に２分割し、上部側の上水配管１７，１８のみを金具取付台１３に取り付けて、アセンブリ体１９を構成し、このアセンブリ体１９を洗面キャビネット１０に組つけるようにしてもよい。この場合、上水配管１７，１８の一部は止水栓２０Ａ，２０Ｂ側に延びるため、その後、作業者は、洗面キャビネット１０内の下部側の比較的広い空間内で、上水配管１７，１８の取り付け作業を行なうことができる。したがって、この場合でも、洗面化粧台１の据え付け作業の容易化と迅速化を図ることができる。なお、上水配管１７，１８の管端のカッティングは、下部側で行なえばよいので、洗面キャビネット１０に対してアセンブリ体１９の脱着を繰り返す必要はない。
　【００４１】
　図６は載置台が、金具取付台１３と化粧鏡台１４とを一体化した化粧鏡台３０である場合の、洗面化粧台１の据え付け手順を示している。この場合でも、化粧鏡台３０に、水栓金具１５，１６と上水配管１７，１８とを取り付けた後、これを洗面キャビネット１０に取り付けるようにすれば、前述の場合と同様な効果を得ることができる。なお、化粧鏡台３０は、必ずしも金具取付台１３と同じものを有している必要はなく、その一部に金具取付部１３ａと同一機能のものを有しておればよい。また、化粧鏡台３０は収納棚や収納部を有したキャビネット形式のものであってもよい。
　【００４２】
　なお、金具取付台１３に、サーモスタットタイプの混合水栓、シャワー用水栓、または水専用の水栓といった種々の水栓金具を取り付けた場合でも、洗面化粧台１の据え付けが同様にできるのはもちろんである。また、湯側の給水源として電気温水器をキャビネット部１１内に備えるようにし、湯配管１７と電気温水器とを接続するようにしてもよい。
　【００４３】
　さらに、湯配管１７および水配管１８をフレキシブルな耐圧ホースから構成し、据え付けにあたり、管端のカットをしなくてすむようにしてもよい。また、洗面槽１２に水のみを供給するようにし、上水配管が水配管１８のみであってもよいのはもちろんである。また、洗面化粧台１は、化粧鏡台１４を有さないものであってもよいのはもちろんである。
　【００４４】
　図７ないし図９は樹脂成形によって形成される金具取付台１３の部分的または全体的構成を示すものである。　この金具取付台１３は、樹脂成形に適し、かつ、容易に一体成形できる形状に形成されている。すなわち、金具取付台１３は、左右両端部まで、金具取付部１３ａと同一断面を有するように、全体が中空状に形成されており、その肉厚が充分に薄く設定されている。そして、この金具取付台１３は、成形時に型抜きが容易となるように、後面側が開口１３４として完全に開放されているとともに、対向する内面間の距離が、後方に向かって、小さくならない箱状に形成されている。
　【００４５】
　また、この金具取付台１３は、強度が小さくならないように、内面側に補強部材としての補強リブ１３５が一体成形によって形成されている。この補強リブ１３５は、金具取付台１３の内面側に、前後方向、左右方向、および上下方向に所定ピッチで形成されているが、成形時に開口１３４を介して型抜きが容易にできるように、上壁１３ｃ、底壁１３ｄ、左壁１３ｅ、および右壁１３ｆの内面には、前後方向に向かうもののみが形成されている。さらに、この金具取付台１３の、混合水栓１５および吐水管１６の取り付け用の開口１３２，１３３周りには、これらが形成された前壁１３ｂの内面側に、補強部材としてのリング状の補強リブ１３６が一体成形によって形成されており、この補強リブ１３６によって、開口１３２，１３３の形成によって低下する金具取付台１３の補強がなされている。
　【００４６】
　以上のように、この金具取付台１３では、全体を薄肉の中空状に形成しているので、材料の節約を図ることができ、樹脂成形によってこれを安価に製作できるようになる。この場合、金具取付台１３の後面側を、開放した形状とするとともに、金具取付台１３の内面形状を、後面側の開口１３４を介して型抜きできる形状としているので、金具取付台１３の一体成形が可能となり、この金具取付台１３を容易かつ安価に製造できるようになる。なお、この金具取付台１３では、後面側が開放されているため、この金具取付台１３への水栓金具１５，１６の取り付けや、上水配管１７，１８の取り付けが容易になされる。
　【００４７】
　また、この金具取付台１３では、内面に補強リブ１３５を設けているため、壁１３ｂ，１３ｃ，１３ｄ，１３ｅ，１３ｆを薄肉とした場合でも、容易に所定の強度を保つことができるようになる。したがって、この金具取付台１３では、材料（樹脂）の節約を図ることができる。さらに、この金具取付台１３では、水栓金具１５，１６の取り付け用開口１３２，１３３周りに、補強リブ１３６を設けているため、開口１３２，１３３が大きくなった場合でも、この金具取付台１３の強度が低下することはない。
　【００４８】
　なお、補強リブ１３５や補強リブ１３６に代えて、別体の補強部材を金具取付台１３の内面側に、接着材やネジを介して、取り付けるようにしてもよい。この場合、補強部材は、樹脂成形時の型抜きに影響を及ぼすことがないため、金具取付台１３の内面のいずれの方向にも取り付けることができ、強度上の効果を充分に発揮できる。
　【００４９】
　【発明の効果】
　この発明は、以上のように構成されているので、以下に記載されるような効果を奏する。
　【００５０】
　この発明の請求項１の発明によれば、上部に洗面槽を有
するとともに、洗面槽下方に、前部側に開閉扉を有すとともに、後部側に給水源挿入用の開口を有するキャビネット部が設けられた洗面台を備えて、キャビネット部内に開口を介して突出させた
、かつ、洗面台が建物内の壁面に後面側を密着させた状態で、フロア上に据え付けられる
載置しつつ壁面側に固定するようにして取り付けられる
　【００５１】
　この発明の請求項２の発明によれば、請求項１の発明の場合において、載置台を化粧鏡を有した化粧鏡台としたので、洗面化粧台の据付作業の迅速化を図ることができる。また、化粧鏡台の利用ができる分、洗面が容易にできるようになる。
　【００５２】
　この発明の請求項３の発明によれば、請求項１の発明の場合において、載置台上に化粧鏡を有した化粧鏡台が取り付けられるので、載置台と化粧鏡台とを別々に取り付けることができ、洗面化粧台の据付の容易化を図ることができる。また、化粧鏡台の利用ができる分、洗面が容易にできるようになる。
　【００５３】
　この発明の請求項４の発明によれば、載置台が、中空で後面側が開放された一体成形可能な樹脂成形体から
形成
もちろん、この発明においても、洗面化粧台の据付を、容易かつ迅速になすことができる。
　【００５４】
　この発明の請求項５の発明によれば、請求項４の発明の場合において、載置台の内面側全体に、補強用の突起部を有しているので、載置台の強度を低下させることなく載置台の肉厚を薄くすることができ、材料の節約を図ることができる。
　【００５５】
　この発明の請求項６の発明によれば、請求項４の発明の場合において、載置台の内面側の水栓金具取り付け用の開口周りに、補強用の突起部を有しているので、開口による載置台の強度低下を防止できる。
【図面の簡単な説明】
　【図１】
　この発明の一実施例である洗面化粧台の据え付け手順の説明図である。
　【図２】
　図１の洗面化粧台の正面図である。
　【図３】
　図１の洗面化粧台の側面図である。
　【図４】
　金具取付台に取り付けられた混合水栓と吐水管の詳細構造を示す図である。
　【図５】
　止水栓と上水配管との接続部の詳細を示す図である。
　【図６】
　金具取付台が化粧鏡台と一体となった場合の、洗面化粧台の据え付け手順の説明図である。
　【図７】
　樹脂成形によって形成される載置台等の断面図である。
　【図８】
　図７のＡーＡ矢視図である。
　【図９】
　図７で示される載置台の水栓金具取り付け部周りの断面図である。
　【図１０】
　従来の洗面化粧台の据え付け手順の説明図である。
　【符号の説明】
　　１　　洗面化粧台
　１０　　洗面キャビネット（洗面台）
　１２　　洗面槽
　１３　　金具取付台（載置台）
　１３ａ　金具取付部（取付部）
　１５　　混合水栓（水栓金具）
　１６　　吐水管（水栓金具）
　１７　　湯配管（上水配管）
　１８　　水配管（上水配管）
　２０，２０Ａ，２０Ｂ　　止水栓（給水源）
　３０　　化粧鏡台（載置台）
　１３２，１３３　開口
　１３５，１３６　補強リブ（補強部材）